(57)【要約】【課題】  従来に比べて車上荒らしの状況を明確に通知することができ、また消費電力を抑えることのできる、異常検知システムを提供する。【解決手段】  異常検知センサが異常を検知し、時刻カウンタが時刻をカウントする。そして車上荒らし検知装置１は、異常検知センサから異常の検知の通知を受けた場合に、時刻カウンタでカウントする時刻を読み取り、当該時刻を電気泳動ディスプレイへ出力する。また電気泳動ディスプレイが少なくとも異常を検知した時刻を表示する。【選択図】    図１
2007102606.tif 000002
【特許請求の範囲】
【請求項１】
異常を検知する異常検知センサと、
時刻をカウントする時刻カウンタと、
少なくとも前記異常を検知した時刻を表示する電気泳動ディスプレイと、
前記異常検知センサから前記異常の検知の通知を受けた場合に、前記時刻カウンタでカウントする時刻を読み取り、当該時刻を前記電気泳動ディスプレイへ出力する異常情報出力手段と、
を備えることを特徴とする異常検知システム。
【請求項２】
前記異常に対応する文字情報を記憶する文字情報記憶手段をさらに備え、
前記異常情報出力手段は、前記異常検知センサから前記異常の検知の通知を受けた場合に、前記文字情報記憶手段の記憶する前記文字情報を読み取り、当該文字情報を前記電気泳動ディスプレイへ出力する
ことを特徴とする請求項１に記載の異常検知システム。
【請求項３】
異常検知装置が、
前記異常検知センサと、前記時刻カウンタと、前記異常情報出力手段と、前記文字情報記憶手段とを備え、
前記電気泳動ディスプレイは、前記異常検知装置と、通信ケーブルを介して接続される
ことを特徴とする請求項１または請求項２に記載の異常検知システム。
【請求項４】
前記異常検知装置が、
前記異常情報出力手段により出力された情報を無線信号により発信する無線信号発信手段を備え、
前記電気泳動ディスプレイが、前記無線信号を受信する無線信号受信手段を備える
ことを特徴とする請求項１または請求項２に記載の異常検知システム。
【請求項５】
前記無線信号はＲＦ信号であり、
前記無線信号受信手段は、前記ＲＦ信号の磁気起電力により電力を生成し、前記無線信号に含まれる情報を抽出して前記電気泳動ディスプレイに出力する
こをと特徴とする請求項４に記載の異常検知システム。
【請求項６】
前記異常センサは、
音検知センサまたは振動検知センサの一方または両方である
ことを特徴とする請求項１から請求項５に記載の異常検知システム。
【請求項７】
異常を検知する異常検知センサと、
時刻をカウントする時刻カウンタと、
前記異常検知センサから前記異常の検知の通知を受けた場合に、前記時刻カウンタでカウントする時刻を読み取り、当該時刻を電気泳動ディスプレイへ出力する異常情報出力手段と、
を備えることを特徴とする異常検知装置。
【請求項８】
前記異常に対応する文字情報を記憶する文字情報記憶手段をさらに備え、
前記異常情報出力手段は、前記異常検知センサから前記異常の検知の通知を受けた場合に、前記文字情報記憶手段の記憶する前記文字情報を読み取り、当該文字情報を前記電気泳動ディスプレイへ出力する
ことを特徴とする請求項７に記載の異常検知装置。
【請求項９】
異常検知センサにより、異常を検知し、
時刻カウンタにより、時刻をカウントし、
異常情報出力手段により、前記異常検知センサから前記異常の検知の通知を受けた場合に、前記時刻カウンタでカウントする時刻を読み取り、当該時刻を電気泳動ディスプレイへ出力する
ことを特徴とする異常検知方法。
【請求項１０】
異常を検知する異常検知処理と、
時刻をカウントする時刻カウント処理と、
前記異常検知センサから前記異常の検知の通知を受けた場合に、前記時刻カウンタでカウントする時刻を読み取り、当該時刻を電気泳動ディスプレイへ出力する異常情報出力処理と、
異常検知装置のコンピュータに実行させるプログラム。
【請求項１１】
異常を検知する異常検知処理と、
時刻をカウントする時刻カウント処理と、
前記異常検知センサから前記異常の検知の通知を受けた場合に、前記時刻カウンタでカウントする時刻を読み取り、当該時刻を電気泳動ディスプレイへ出力する異常情報出力処理と、
異常検知装置のコンピュータに実行させるプログラムを記憶する記録媒体。
【発明の詳細な説明】
【技術分野】
【０００１】
本発明は、車上荒らしを検出する異常検知システムおよび異常検知装置ならびに異常検知方法とそのプログラム、記録媒体に関する。
【背景技術】
【０００２】
従来、車内に設置されたカーオーディオや、車内に放置されたバックなどの盗難が相次いでいるが、それら車上荒らしの際の強制的なドアや窓の開閉を検知して、インジケータランプのランプ点灯間隔により、車上荒らしが発生してからの経過時間を通知する仕組みが特許文献１により公開されている。
【特許文献１】特開２０００−８５５３５号公報
【発明の開示】
【発明が解決しようとする課題】
【０００３】
ところで、上述のインジケータランプによる車上荒らし発生からの経過時間の通知では、実際に車上荒らしが発生してからどの程度の時間が経過したのかを、そのランプを見ただけでは直ちに判断できないという問題があった。またランプの点灯間隔だけでは通知できる情報量が少ないので、経過時間以外の情報を通知することは不可能であった。さらに、車上荒らしがあった場合には、例えば車からバッテリが外されている可能性もあるので、長時間に渡って車上荒らし発生からの経過時間を通知できる仕組みが必要であるが、インジケータランプは電力が必要となるので、そのための電力確保が難しいという問題があった（電池などでは発光の長さが時間的に不十分な場合もある）。
【０００４】
そこでこの発明は、従来に比べて車上荒らしに関する情報を多く通知することができ、また消費電力を抑えることのできる、異常検知システムおよび異常検知装置ならびに異常検知方法とそのプログラム、記録媒体を提供することを目的としている。
【課題を解決するための手段】
【０００５】
上記目的を達成するために、本発明は、異常を検知する異常検知センサと、時刻をカウントする時刻カウンタと、少なくとも前記異常を検知した時刻を表示する電気泳動ディスプレイと、前記異常検知センサから前記異常の検知の通知を受けた場合に、前記時刻カウンタでカウントする時刻を読み取り、当該時刻を前記電気泳動ディスプレイへ出力する異常情報出力手段と、を備えることを特徴とする異常検知システムである。
これにより、電気泳動ディスプレイは一度情報が表示されると、メモリ効果によって継続して情報を表示させることができるので、例えば、バッテリが車制御用のバッテリであり、当該バッテリからの接続が切断されたとしても、その情報が消えることがない。したがって、車上荒らし発生後にユーザが確認する際に、バッテリからの接続が外されることによる無表示の状況を回避することができる。さらに車上荒らし発生後の電力を必要としないため、バッテリの電力切れによる無表示の状況を回避することができる。
【０００６】
また本発明は、前記異常に対応する文字情報を記憶する文字情報記憶手段をさらに備え、前記異常情報出力手段は、前記異常検知センサから前記異常の検知の通知を受けた場合に、前記文字情報記憶手段の記憶する前記文字情報を読み取り、当該文字情報を前記電気泳動ディスプレイへ出力することを特徴とする。
これにより、電気泳動ディスプレイに文字情報が表示されるので、従来のインジケータランプに比べて、多くの情報を異常発生の状況として残すことができる。
【０００７】
また本発明は、異常検知装置が、前記異常検知センサと、前記時刻カウンタと、前記異常情報出力手段と、前記文字情報記憶手段とを備え、前記電気泳動ディスプレイは、前記異常検知装置と、通信ケーブルを介して接続されることを特徴とする。
これにより、電気泳動ディスプレイを異常検知装置と異なる場所に設置することができる。したがって、例えば視認しにくい場所に設置することで電気泳動ディスプレイの存在を隠すことができる。
【０００８】
また本発明は、前記異常検知装置が、前記異常情報出力手段により出力された情報を無線信号により発信する無線信号発信手段を備え、前記電気泳動ディスプレイが、前記無線信号を受信する無線信号受信手段を備えることを特徴とする。
これにより、電気泳動ディスプレイを異常検知装置と異なる場所に設置することができる。したがって、例えば視認しにくい場所に設置することで電気泳動ディスプレイの存在を隠すことができる。
【０００９】
また本発明は、前記無線信号はＲＦ信号であり、前記無線信号受信手段は、前記ＲＦ信号の磁気起電力により電力を生成し、前記無線信号に含まれる情報を抽出して前記電気泳動ディスプレイに出力するこをと特徴とする。これにより、ＲＦＩＤの技術により微弱な電波で情報を電気泳動ディスプレイに表示することができる。
【００１０】
また本発明は、前記異常センサは、音検知センサまたは振動検知センサの一方または両方であることを特徴とする。
【００１１】
また本発明は、異常を検知する異常検知センサと、時刻をカウントする時刻カウンタと、前記異常検知センサから前記異常の検知の通知を受けた場合に、前記時刻カウンタでカウントする時刻を読み取り、当該時刻を電気泳動ディスプレイへ出力する異常情報出力手段と、を備えることを特徴とする異常検知装置である。
【００１２】
また本発明は、上記異常検知装置が、前記異常に対応する文字情報を記憶する文字情報記憶手段をさらに備え、前記異常情報出力手段は、前記異常検知センサから前記異常の検知の通知を受けた場合に、前記文字情報記憶手段の記憶する前記文字情報を読み取り、当該文字情報を前記電気泳動ディスプレイへ出力することを特徴とする。
【００１３】
また本発明は、異常検知センサにより、異常を検知し、時刻カウンタにより、時刻をカウントし、異常情報出力手段により、前記異常検知センサから前記異常の検知の通知を受けた場合に、前記時刻カウンタでカウントする時刻を読み取り、当該時刻を電気泳動ディスプレイへ出力することを特徴とする異常検知方法である。
【００１４】
また本発明は、異常を検知する異常検知処理と、時刻をカウントする時刻カウント処理と、前記異常検知センサから前記異常の検知の通知を受けた場合に、前記時刻カウンタでカウントする時刻を読み取り、当該時刻を電気泳動ディスプレイへ出力する異常情報出力処理と、異常検知装置のコンピュータに実行させるプログラムである。
【００１５】
また本発明は、異常を検知する異常検知処理と、時刻をカウントする時刻カウント処理と、前記異常検知センサから前記異常の検知の通知を受けた場合に、前記時刻カウンタでカウントする時刻を読み取り、当該時刻を電気泳動ディスプレイへ出力する異常情報出力処理と、異常検知装置のコンピュータに実行させるプログラムを記憶する記録媒体である。
【発明を実施するための最良の形態】
【００１６】
以下、本発明の一実施形態による異常検知システムを図面を参照して説明する。図１は同実施形態による異常検知システムの構成を示す第１の図である。この図において、符号１は車上荒らし検知装置である。また２は電気泳動ディスプレイである。そして車上荒らし検知装置１と電気泳動ディスプレイとは通信ケーブルで接続されており、これら車上荒らし検知装置１と電気泳動ディスプレイにより異常検知システムを構成している。
【００１７】
ここで、電気泳動ディスプレイ２は、例えば、少なくとも一方が透明基板からなる一対の基板が封止部材を介して対向配置されており、これらの基板と封止部材とにより形成される閉空間に電気泳動分散液が収容されて構成されるものである。また、これらの基板の互いに対向する内側の面にはＩＴＯ等の透明電極が形成されており、電極間に電圧を印加することで、電気泳動分散液中のマイクロカプセルをいずれか一方の基板側に泳動させるようになっている。
【００１８】
このような電気泳動ディスプレイ２において、例えば透明基板側の電極にマイナスの電圧を印加すると、上記マイクロカプセルはクーロン力によって透明基板側に泳動し、電極に付着する。このような状態の電気泳動ディスプレイ２を透明基板側から観察すると、粒子が付着して層をなした部分は白色に見えることになる。そして、この電気泳動ディスプレイ２は、電力供給が失われた際に、メモリ効果によって継続して画像を表示させることができる、という点で有利である。
【００１９】
図２は車上荒らし検知装置の機能ブロックを示す第１の図である。
この図より、車上荒らし検知装置１は、振動センサ１１、音センサ１２、ＣＰＵ１３、ＲＯＭ／ＲＡＭ１４、時刻カウンタ１５、バッテリ１６を備えている。なお車上荒らし検知装置１は、振動センサ１１または音センサ１２のいずれか一方を備えるようにしてもよく、その他のセンサを備えていてもよい。そして、この実施例ではバッテリ１６は車上荒らし検知装置１と、電気泳動ディスプレイ２に電力を供給する。通信ケーブルには情報を送信するための線のほかに、電力供給用のケーブルも内蔵しており、これによりバッテリ１６からの電力が電気泳動ディスプレイ２に供給される。
【００２０】
図３は異常検知システムの設置イメージを示す図である。
この図が示すように、異常検知システムは車内に設置され、例えば、ダッシュボードの内部に車上荒らし検知装置１を、またハンドル下部に電気泳動ディスプレイ２を設置する。このように設置することで、車上荒らしにあった場合でも、電気泳動ディスプレイ２の存在を気付かせることなく、その表示画面に車上荒らし発生時の状況を表示することができる。なお、本実施形態においては、異常検知システムは、車内に設置するものとして記載するが、この他、倉庫内や、自宅内に設置されるようなものであってもよい。
【００２１】
図４は異常検知システムの処理フローを示す図である。
次に、図４を用いて異常検知システム処理フローについて説明する。
まず、車のユーザは車から離れる際に、異常検知システムのスイッチをＯＮし作動させる（ステップＳ１）。するとバッテリ１６は所定時間経過後にＣＰＵ１３に電力供給を行う（ステップＳ２）。このような状況において車上荒らしが発生すると、ドアや窓ガラスなどが壊されることによる音、または振動により、振動センサ１１と音センサ１２の何れか一方または両方が異常発生を検知し作動する（ステップＳ３）。振動センサ１１や音センサ１２は音や振動を検知すると、ＣＰＵ１３に異常発生を示す情報を通知する。
【００２２】
ＣＰＵ１３は異常発生を示す情報を受け付けると、その情報が振動センサ１１と音センサ１２のどちらのセンサが検知した情報かを判定する（ステップＳ４）。例えば異常発生を示す情報に振動センサ１１と音センサ１２を識別するためのＩＤが含まれていれば、そのＩＤにより、どちらのセンサが発生した情報かを検知することができる。そして、振動センサ１１から通知された異常発生の情報である場合には、ＲＯＭ／ＲＡＭ１４において振動センサ１１のＩＤに対応付けられて記録されている文字情報を読み込む（ステップＳ５）。この文字情報は、例えば、“振動異常発生”などの文字情報である。また、音センサ１２から通知された異常発生の情報である場合には、ＲＯＭ／ＲＡＭ１４において音センサ１２のＩＤに対応付けられて記録されている文字情報を読み込む（ステップＳ６）。この文字情報は、例えば、“音異常発生”などの文字情報である。また両方のセンサから異常発生の情報を受付けた場合には、両方の文字情報を読み取る。
【００２３】
またＣＰＵ１３は異常発生の情報を受け付けると、時刻カウンタ１５でカウントしている時刻を読み取る（ステップＳ７）。そして、読み取った文字情報と時刻とを、電気泳動ディスプレイ２に出力する（ステップＳ８）。
【００２４】
次に電気泳動ディスプレイ２においては、バッテリ１６により駆動しており、車上荒らし検知装置１から受信した文字情報と時刻とを受信すると、その情報を電極に電圧を印加することにより表示する処理を行なう（ステップＳ９）。これにより、一度情報が表示されると、メモリ効果によって継続して情報を表示させることができるので、例えばバッテリ１６が車制御用のバッテリであり、当該バッテリからの接続が切られたとしても、その情報が消えることがない。したがって、車上荒らし発生後にユーザが確認する際に、バッテリ１６からの接続が外されることによる無表示の状況を回避することができる。さらに車上荒らし発生後の電力を必要としないため、バッテリ１６の電力切れによる無表示の状況を回避することができる。
【００２５】
図５は異常検知システムの構成を示す第２の図である。
上述の例では車上荒らし検知装置１と電気泳動ディスプレイ２が通信ケーブルにより接続されている例を示したが、車上荒らし検知装置１は図５のようにＲＦＩＤの技術などの無線により、電気泳動ディスプレイ２に情報を送信するようにしてもよい。
【００２６】
図６は車上荒らし検知装置の機能ブロックを示す第２の図である。
この図において車上荒らし検知装置１内の各機能構成は図２と同一符号を用いて説明する。また図示していないが、車上荒らし検知装置１はＲＦ信号送信部を備えており、当該ＲＦ信号送信部によりＣＰＵ１３の出力した信号ＲＦ信号に変換して発信する。
【００２７】
図７は電気泳動ディスプレイの駆動装置を示す図である。
ＲＦＩＤの技術により情報を受信する場合には、電気泳動ディスプレイの駆動装置は、図７で示すようなＲＦ信号を受信するためのアンテナと、ＩＣチップを備えている。そして、車上荒らし検知装置１から発信されたＲＦ信号により磁気起電力を発生し、この電力により受信した情報を表示させる処理を行なう。
【００２８】
図８は電気泳動ディスプレイ駆動装置内のＩＣチップの機能ブロックを示す図である。
この図が示すようにＩＣチップには、データ受信部２１、各機能を制御する制御部２２、データ送信部２３、表示部２５、電力生成部２４を備えている。
【００２９】
次に、ＲＦ信号受信後の電気泳動ディスプレイ駆動装置の処理フローについて説明する。
ＲＦ信号を受信すると電力生成部２４が内部電力を生成してＩＣチップを駆動する。すると、アンテナを介して受信した信号をデータ受信部２１が受け付け、制御部２２に転送する。制御部２２においては、受信した信号から情報を抽出し表示部２５に通知する。そして、表示部２５はＲＦ信号により送信された、文字情報と時刻を電極に電圧を印加することにより表示する処理を行なう。
【００３０】
なお、上述の車上荒らし検知装置や電気泳動ディスプレイ駆動装置内のＩＣチップは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３２】
【図１】異常検知システムの構成を示す第１の図である。
【図２】車上荒らし検知装置の機能ブロックを示す第１の図である。
【図３】異常検知システムの設置イメージを示す図である。
【図４】異常検知システムの処理フローを示す図である。
【図５】異常検知システムの構成を示す第２の図である。
【図６】車上荒らし検知装置の機能ブロックを示す第２の図である。
【図７】電気泳動ディスプレイの駆動装置を示す図である。
【図８】電気泳動ディスプレイ駆動装置内のＩＣチップの機能ブロックを示す図である。
【符号の説明】
【００３３】
１・・・車上荒らし検知装置
２・・・電気泳動ディスプレイ
１１・・・振動センサ
１２・・・音センサ
１３・・・ＣＰＵ
１４・・・ＲＯＭ／ＲＡＭ
１５・・・時刻カウンタ
１６・・・バッテリ
【図１】
2007102606.tif 000003
【図２】
2007102606.tif 000004
【図３】
2007102606.tif 000005
【図４】
2007102606.tif 000006
【図５】
2007102606.tif 000007
【図６】
2007102606.tif 000008
【図７】
2007102606.tif 000009
【図８】
2007102606.tif 000010